(57)【要約】【課題】併売商品等に対する基本となる商品等を容易に見つけ出すことができるようにする。【解決手段】マイクロコンピュータ（情報処理部）は、（１）商品又は商品群である基礎対象物を特定する基礎コードに対応させて当該基礎対象物の名称と当該基礎対象物と同時に売り上げられた商品又は商品群である併売対象物の名称とを記憶する併売ファイルから抽出した基礎対象物の名称を、入力部で選択入力可能であって基礎コードにリンクするオブジェクトとして液晶ディスプレイ（表示部）が有する基礎対象物表示領域Ａ１に一覧表示し、（２）入力デバイス（入力部）によって基礎対象物の名称が選択入力されると、これにリンクする基礎コードに対応付けられている併売対象物の名称を併売ファイルから検索して併売対象物表示領域Ａ２に表示する。【選択図】図７
2009086721.tif 000002
【特許請求の範囲】
【請求項１】
情報処理を実行する情報処理部と、
情報を入力するための入力部と、
情報を表示領域に表示出力するための表示部と、
前記情報処理部が、商品又は商品群である基礎対象物を特定する基礎コードに対応させて当該基礎対象物の名称と当該基礎対象物と同時に売り上げられた商品又は商品群である併売対象物の名称とを記憶する併売ファイルから抽出した前記基礎対象物の名称を、前記入力部で選択入力可能であって前記基礎コードにリンクするオブジェクトとして前記表示領域の一部に一覧表示する手段と、
前記情報処理部が、前記入力部によって前記基礎対象物の名称が選択入力されると、これにリンクする前記基礎コードに対応付けられている前記併売対象物の名称を前記併売ファイルから検索して前記表示領域の別の一部に表示する手段と、
を備える、併売関係表示装置。
【請求項２】
前記併売ファイルには、前記基礎コード毎に当該基礎コードに対応する前記基礎対象物と前記併売対象物との間の相関の程度の高低が記録されており、
前記情報処理部は、前記併売ファイルに記録されている前記相関の程度の高低に応じて、当該相関の程度の高低を視覚的に表現する態様で前記併売対象物の名称を表示する、
請求項１記載の併売関係表示装置。
【請求項３】
前記併売ファイルには、前記基礎コード毎に当該基礎コードに対応する前記基礎対象物の区分が記録されており、
前記情報処理部は、前記併売ファイルに記録されている前記基礎対象物の区分に応じて、前記基礎対象物の名称を分類表示する、
請求項１記載の併売関係表示装置。
【請求項４】
前記併売ファイルには、前記基礎コード毎に当該基礎コードに対応する前記基礎対象物の序列付け可能な付加情報が記録されており、
前記情報処理部は、前記併売ファイルに記録されている前記付加情報に応じて前記基礎対象物の名称を序列付け表示する、
請求項１記載の併売関係表示装置。
【請求項５】
前記併売ファイルには、前記基礎コード毎に当該基礎コードに対応する前記併売対象物を特定する併売コードが記録されており、
前記情報処理部は、前記入力部で選択入力可能な前記併売コードにリンクするオブジェクトとして前記併売対象物の名称を前記表示領域の別の一部に表示し、前記入力部によって前記併売対象物の名称が選択入力されると、これにリンクする前記併売コードを前記基礎コードとして当該基礎コードに対応付けられている前記併売対象物の名称を前記併売ファイルから検索して前記表示領域の別の一部に表示する、
請求項１記載の併売関係表示装置。
【請求項６】
前記情報処理部は、前記入力部によって２以上の前記基礎対象物の名称が選択入力されると、これらにリンクする前記基礎コードに対応付けられている前記併売対象物の名称を前記併売ファイルからそれぞれ検索して前記表示領域の別の一部に表示し、その後に前記入力部によって当該２以上の基礎対象物の名称のうちの１つが選択入力されると、これにリンクする前記基礎コードに対応付けられている前記併売対象物の名称を最上層に表示する、
請求項１記載の併売関係表示装置。
【請求項７】
情報を入力するための入力部と、情報を表示領域に表示出力するための表示部と、を備えるコンピュータにインストールされ、当該コンピュータに、
商品又は商品群である基礎対象物を特定する基礎コードに対応させて当該基礎対象物の名称と当該基礎対象物と同時に売り上げられた商品又は商品群である併売対象物の名称とを記憶する併売ファイルから抽出した前記基礎対象物の名称を、前記入力部で選択入力可能であって前記基礎コードにリンクするオブジェクトとして前記表示領域の一部に一覧表示する機能と、
前記入力部によって前記基礎対象物の名称が選択入力されると、これにリンクする前記基礎コードに対応付けられている前記併売対象物の名称を前記併売ファイルから検索して前記表示領域の別の一部に表示する機能と、
を実行させる機械読み取り可能な併売関係表示用のコンピュータプログラム。
【発明の詳細な説明】
【技術分野】
【０００１】
本発明は、ある商品又は商品群（以下、商品等と略称する）と当該商品等と同時に売り上げられた商品等との併売関係を表示するようにした併売関係表示装置及びそのためのコンピュータプログラムに関する。
【背景技術】
【０００２】
複数種類の商品を販売する店舗等では、併売商品、つまり、同時に売り上げられる複数種類の商品についての分析が重要である。例えば、アパレル系の店舗では、個々のアイテムのコーディネートが重要なので、併売傾向が強いアイテムを把握し、例えばこれらの陳列位置を近づけたり、コーディネートしてマネキンに着せたりすることで、より一層の売上向上が期待できる。また、スーパーマーケットでは、食材となる個々の食料品がある併売傾向を持つことがあるため、併売傾向が強い食料品を把握し、例えばこれらの陳列位置を近づけたり、それらの食料品を食材とする料理を提案したりすることで、より一層の売上向上が期待できる。
【０００３】
このように、商品の販売を効果的に進めるために、併売商品の分析は極めて重要である。そこで、従来、個々の商品の併売関係を一画面中に表示できるようにした発明がなされている。例えば、特許文献１には、一画面中の左側領域に基本となる商品（キー商品）の情報をその豆絵と共に表示し、一画面中の右側領域にはその商品と併売関係を有する複数の商品の情報をその豆絵と共に表示するようにした発明が記載されている。
【０００４】
【特許文献１】特開平０８−１４７３１８号公報（段落０００５〜０００７、図５等参照）
【発明の開示】
【発明が解決しようとする課題】
【０００５】
特許文献１には、キー商品と呼ばれている一画面中の左側領域に表示される基本となる商品の選出手法や検索手法については特段の記載がない。このため、キー商品を見つけ出すことが困難であるという課題を有する。このようなキー商品を見つけ出すことの困難性は、商品数が増加すればするほど顕著となり、極めて操作性が悪い。
【０００６】
本発明の目的は、併売商品等に対する基本となる商品等を容易に見つけ出すことができるようにすることである。
【課題を解決するための手段】
【０００７】
本発明の併売関係表示装置は、情報処理を実行する情報処理部と、情報を入力するための入力部と、情報を表示領域に表示出力するための表示部と、を備え、前記情報処理部が、（１）商品又は商品群である基礎対象物を特定する基礎コードに対応させて当該基礎対象物の名称と当該基礎対象物と同時に売り上げられた商品又は商品群である併売対象物の名称とを記憶する併売ファイルから抽出した前記基礎対象物の名称を、前記入力部で選択入力可能であって前記基礎コードにリンクするオブジェクトとして前記表示領域の一部に一覧表示し、（２）前記入力部によって前記基礎対象物の名称が選択入力されると、これにリンクする前記基礎コードに対応付けられている前記併売対象物の名称を前記併売ファイルから検索して前記表示領域の別の一部に表示するようにした。
【０００８】
本発明は、また、情報を入力するための入力部と、情報を表示領域に表示出力するための表示部と、を備えるコンピュータにインストールされ、当該コンピュータに上記（１）及び（２）の処理を実行させるコンピュータプログラムを規定する。
【発明の効果】
【０００９】
本発明によれば、商品又は商品群である基礎対象物の名称を表示領域の一部に一覧表示することができるので、併売商品又は商品郡に対して基本となる基礎対象物を容易に見つけ出すための有効な支援を提供することができる。
【発明を実施するための最良の形態】
【００１０】
本発明の実施の一形態を図１ないし図１４に基づいて説明する。
【００１１】
図１は、システム全体の構成を示すブロック図である。本実施の形態のシステムは、スーパーマーケット等の店舗での使用に適したＰＯＳシステムである。本システムは、本部Ｈに設置されるホストコンピュータ１１と個々の店舗Ｓに設置されるストアサーバ１０１及び商品販売データ処理装置としてのＰＯＳ端末１５１とが通信回線網５１を介してデータ送受信自在に接続されて構築されている。そのために、本部Ｈには通信回線網５１に接続してデータ通信を司る本部ＷＥＢサーバ１２が設置され、この本部ＷＥＢサーバ１２とホストコンピュータ１１とが構内ネットワーク１３を介して相互にデータ送受信自在に接続されている。また、店舗Ｓでは、通信回線網５１に接続しているストアサーバ１０１とＰＯＳ端末１５１とが構内ネットワーク１５３を介して相互にデータ送受信自在に接続されている。
【００１２】
ここで、本部Ｈに設置されているホストコンピュータ１１及び個々の店舗Ｓに設置されているストアサーバ１０１には、ある商品等（商品又は商品群）を基本として、この商品等と同時に売り上げられた商品等との併売関係を表示するようにした併売関係表示用のコンピュータプログラムがインストールされている。これにより、それらのホストコンピュータ１１及びストアサーバ１０１は、商品等における併売関係を表示する併売関係表示装置として機能する。以下、ストアサーバ１０１を例に挙げて、併売関係表示装置について説明する。併売関係表示装置としての機能を考慮すると、ホストコンピュータ１１もストアサーバ１０１も変わる点がないので、ホストコンピュータ１１の説明は省略する。
【００１３】
図２は、ストアサーバ１０１の電気的接続のブロック図である。図２に示すように、ストアサーバ１０１には、情報処理を実行する情報処理部としてマイクロコンピュータ１０２が備えられており、このマイクロコンピュータ１０２が各部を駆動制御する。マイクロコンピュータ１０２は、各部を集中的に制御するＣＰＵ１０３に、バスライン１０４を介して制御プログラム等の固定的情報を予め記憶するＲＯＭ１０５と、各種情報を書き換え自在に記憶してワークエリア等として機能するＲＡＭ１０６とが接続されて構成されている。したがって、マイクロコンピュータ１０２は、情報処理を実行する情報処理部を構成する。なお、図２では、ＣＰＵ１０３、ＲＯＭ１０５及びＲＡＭ１０６を単一構成物として表示しているが、これらのＣＰＵ１０３、ＲＯＭ１０５及びＲＡＭ１０６は、複数の固体に分割されて構成されていてもよい。特に、ＲＡＭ１０６として表示している構成物は、少なくとも、ワークエリアとして用いられるチップと画像メモリを構成するチップとを含んでいる。
【００１４】
マイクロコンピュータ１０２には、バスライン１０４を介してＩ／ＯインターフェースＩＦ１及び通信インターフェースＩＦ２が接続されている。そして、Ｉ／ＯインターフェースＩＦ１には、入力コントローラ１０７、ビデオコントローラ１０８及びＨＤＤ１０９が接続されている。通信インターフェースＩＦ２は、マイクロコンピュータ１０２を構内ネットワーク１５３へ接続させ、ＰＯＳ端末１５１とストアサーバ１０１との間の相互のデータ通信を可能とする。この意味で、通信インターフェースＩＦ２は、外部機器である本部Ｈに設置されているホストコンピュータ１１、商品販売データ処理装置であるＰＯＳ端末１５１との間でデータを送受信するデータ送受信部としての機能を提供する。
【００１５】
入力コントローラ１０７には、入力部としてのキーボードやマウス等の入力デバイス１１０が接続されている。入力コントローラ１０７は、入力デバイス１１０からの入力信号をマイクロコンピュータ１０２に取り込む。
【００１６】
ビデオコントローラ１０８には、表示部としての液晶ディスプレイ１１１が接続されている。図２中では、「液晶ディスプレイ」を「ＬＣＤ」と略称している。ビデオコントローラ１０８は、画像データに基づいて液晶ディスプレイ１１１を駆動制御し、画像データに応じた画像を液晶ディスプレイ１１１に表示させる。
【００１７】
ＨＤＤ１０９には、プログラムエリアＰＡとデータ蓄積エリアＤＡとが設けられている。プログラムエリアＰＡには、ＯＳ（オペレーティングシステム）及びコンピュータプログラム等がインストールされている。コンピュータプログラムには、ある商品等（商品又は商品群）を基本として、この商品等と同時に売り上げられた商品等との併売関係を表示するようにした併売関係表示用のコンピュータプログラムが含まれている。また、データ蓄積エリアＤＡには、商品マスタデータ、店員マスタデータ、顧客マスタデータ、メタ画像データ等、ＰＯＳ端末１５１による商品販売データ処理を支援するための各種のデータや各種分析等に使用するための各種のデータ等が蓄積されている。このようなデータ蓄積エリアＤＡに蓄積されるデータの一部として、ストアサーバ１０１が併売関係表示装置として機能する場合に用いられる併売ファイル１２１（図３参照）がデータ蓄積エリアＤＡに格納されている。プログラムエリアＰＡに記憶されているＯＳ、コンピュータプログラム等は、ストアサーバ１０１の起動時やその後にその全部又は一部がＲＡＭ１０６にコピーされてＣＰＵ１０３にアクセスされる。また、必要に応じて、データ蓄積エリアＤＡに蓄積されている各種のデータの全部又は一部もＲＡＭ１０６にコピーされてＣＰＵ１０３にアクセスされる。ＣＰＵ１０３は、こうしてコピーされたＯＳ及びコンピュータプログラムに従った処理を実行する。
【００１８】
図３（ａ）は併売ファイル１２１の一例を示す模式図、図３（ｂ）は併売ファイル１２１の別の一例を示す模式図である。併売ファイル１２１には、商品又は商品群である基礎対象物を特定する基礎コード１２１ａに対応させて、当該基礎対象物の名称１２１ｂと、当該基礎対象物と同時に売り上げられた商品又は商品群である併売対象物を特定する併売コード１２１ｃと、併売対象物の名称１２１ｄと、序列付け可能な付加情報１２１ｅと、基礎対象物と併売対象物との間の相関の程度の高低を示す相関度１２１ｆとが記憶されている。
【００１９】
図３（ａ）は、基礎コード１２１ａ及び併売コード１２１ｃに商品コードが記録されている場合の一例を示している。商品コードは、個々の商品を特定するコードである。したがって、基礎対象物の名称１２１ｂ及び併売対象物の名称１２１ｄには、商品コードによって特定される商品の品名、例えば、「豆腐」や「ウィンナー」等のような品名が記録されている。この場合、基礎コード１２１ａによって特定される商品に対応する併売商品が複数ある場合には、同一の基礎コード１２１ａ毎に個々の併売コード１２１ｃが設定されている。付加情報１２１ｅとしては、個々の商品の購入者数及び併売回数が記録されている。この場合の購入者数は、基礎コード１２１ａによって特定される商品の購入者数と、併売コード１２１ｃによって特定される商品の購入者数との両者が付加情報１２１ｅとして記録されている。相関度１２１ｆとしては、支持度、信頼度及びリフト値（それぞれの内容については後述する）が記録されている。
【００２０】
図３（ｂ）は、基礎コード１２１ａ及び併売コード１２１ｃとして、商品コードのみならずその商品の区分を示す商品クラスコードも記録されている一例を示している。商品クラスコードは、個々の商品が属する区分を特定するコードである。したがって、基礎対象物の名称１２１ｂ及び併売対象物の名称１２１ｄには、商品コードによって特定される商品の品名、例えば、「えのき茸２００ｇ」や「キュウリ」等のような品名ばかりでなく、「えのき茸２００ｇ」が属するクラスの商品クラス名である「エノキ類」や「キュウリ」が属するクラスの商品クラス名である「きゅうり類」といったクラスが記録されている。この場合、基礎コード１２１ａによって特定される商品又は商品群に対応する併売商品又は商品群が複数ある場合には、同一の基礎コード１２１ａ毎に個々の併売コード１２１ｃが設定されている。付加情報１２１ｅとしては、個々の商品の購入者数及び併売回数が記録されている。この場合の購入者数は、基礎コード１２１ａに含まれている商品コードによって特定される商品の購入者数と、併売コード１２１ｃに含まれている商品コードによって特定される商品の購入者数との両者が付加情報１２１ｅとして記録されている。相関度１２１ｆとしては、支持度、信頼度及びリフト値（それぞれの内容については後述する）が記録されている。
【００２１】
ここで、前述した支持度、信頼度及びリフト値について説明する。支持度は、基礎コード１２１ａで特定される商品等と併売コード１２１ｃで特定される商品等との併売回数を全買物客数で割った値である。信頼度は、基礎コード１２１ａで特定される商品等と併売コード１２１ｃで特定される商品等との併売回数を基礎コード１２１ａで特定される商品等の購入者数で割った値である。リフト値は、基礎コード１２１ａで特定される商品等を購入した顧客の中で併売コード１２１ｃで特定される商品等を購入した顧客の割合を、全買物客の中で併売コード１２１ｃで特定される商品等を購入した顧客の割合で割った値である。このような支持度、信頼度、リフト値は、基礎コード１２１ａで特定される商品等と併売コード１２１ｃで特定される商品等との間の相関を表す値であり、値が高いほど両者の併売関係が強いといえる。
【００２２】
併売ファイル１２１に記録されている付加情報１２１ｅと相関度１２１ｆとの値は、１店舗の1日分のデータを集計したものでも、１店舗の１週間分のデータを集計したものでもよく、また、複数店舗の１日分のデータを集計したものでも、複数店舗の１週間分のデータを集計するようにしたものでも良い。集計する期間、対象店舗は任意である。
【００２３】
図４は、併売関係表示処理の流れを示すフローチャートである。マイクロコンピュータ１０２のＣＰＵ１０３は、ＨＤＤ１０９のデータ蓄積エリアＤＡにインストールされている併売関係表示用のコンピュータプログラムに従い、図４に示す処理を実行する。ＣＰＵ１０３は、併売関係表示用のコンピュータプログラムが起動すると、この併売関係表示用のコンピュータプログラムの全部又は一部と、図３に示す併売ファイル１２１の全部又は一部とをＨＤＤ１０９からＲＡＭ１０６にコピーする。この状態で、併売関係表示用のコンピュータプログラムの処理がＣＰＵ１０３によって実行される。
【００２４】
ＣＰＵ１０３は、まず、条件に合う併売情報を有している基礎対象物を抽出して取得する（ステップＳ１１）。つまり、図３に示す併売ファイル１２１には、基礎対象物を特定する基礎コード１２１ａに対応させて併売情報（１２１ｃ〜１２１ｆ）が記録されている。そこで、ステップＳ１１では、一例として、併売ファイル１２１中の相関度１２１ｆに記録されている支持度、信頼度、リフト値が規定値を上回っている基礎対象物を抽出する。規定の条件は、一例として、
支持度  ＞０．００１
信頼度  ＞０．１
リフト値＞３．０
である。
【００２５】
次いで、ＣＰＵ１０３は、ステップＳ１１で抽出した基礎対象物を分類する（ステップＳ１２）。分類は、一例として、基礎コード１２１ａに記録されているレコードを７００番台、８００番台、９００番台等に分けることによって実行される。この際、図３（ａ）に例示するような併売ファイル１２１が用いられる場合には、基礎コード１２１ａである商品コードのレコードに応じて分類がなされる。これに対して、図３（ｂ）に例示するような併売ファイル１２１が用いられる場合には、基礎コード１２１ａである商品クラスコードのレコードに応じて分類がなされる。この意味で、併売ファイル１２１には、基礎コード１２１ａ毎に当該基礎コード１２１ａに対応する基礎対象物の区分が記録されていることになる。
【００２６】
次いで、ＣＰＵ１０３は、ステップＳ１２で分類した基礎対象物にカテゴリー名をつける(Ｓ１３)。カテゴリー名は、一例として、６００番台は「野菜」、７００番台は「肉類」、８００番台は「一般食品」というように付される。
【００２７】
その後、ＣＰＵ１０３は、ステップＳ１１で抽出した基礎対象物の名称とステップＳ１３で付したカテゴリー名とを用いて、併売表示画面Ａ（図６参照）を液晶ディスプレイ１１１に表示する（ステップＳ１４）。この際、最初に表示するのは基礎画面である。ＣＰＵ１０３は、基礎画面を液晶ディスプレイ１１１に表示するための処理のみならず、基礎画面に入力デバイス１１０によって選択指定可能なオブジェクトとして表示されている各種のオブジェクトが入力デバイス１１０によって選択指定された場合の処理をも実行する。
【００２８】
図６は、併売表示画面Ａの一例として、基礎画面の表示例を示す模式図である。図６に示すように、併売表示画面Ａには、基礎対象物の名称を表示する基礎対象物表示領域Ａ１と、その基礎対象物に対して併売関係にある併売対象物の名称を表示する併売対象物表示領域Ａ２と、凡例表示領域Ａ３とが設けられている。基礎対象物表示領域Ａ１は、液晶ディスプレイ１１１の表示領域１１１ａの一部である左側領域に配置され、併売対象物表示領域Ａ２は、液晶ディスプレイ１１１の表示領域１１１ａの別の一部である中央領域に配置され、凡例表示領域Ａ３は、液晶ディスプレイ１１１の表示領域１１１ａの別の一部である右側領域に配置されている。
【００２９】
基礎対象物表示領域Ａ１には、図４のフローチャート中のステップＳ１１の処理によって抽出した基礎対象物が、ステップＳ１２の処理によって分類された体系に従い、ステップＳ１３の処理によって付されたカテゴリー名を親ノードとしてツリー形式で一覧表示されている。そして、親ノードに対する子ノードは、図３（ａ）に示す併売ファイル１２１が記憶する基礎対象物の名称１２１ｂ中の商品名のレコード又は図３（ｂ）に示す併売ファイル１２１が記憶する基礎対象物の名称１２１ｂ中の商品クラス名のレコードである。併売ファイル１２１として図３（ｂ）に示す併売ファイル１２１が参照される場合、基礎対象物の名称１２１ｂ中の商品クラス名のレコードである子ノードの更に子ノードとして、基礎対象物の名称１２１ｂ中の商品名のレコードも表示される。このような階層表示は、個々のノードの左側に隣接表示される＋マーク又は−マークによってより一層効率的に表示される。つまり、基礎対象物表示領域Ａ１中の＋マークは対応するノードの子ノードの名称を一覧表示すべき指示を入力デバイス１１０に許容するオブジェクトであり、−マークは対応するノードの一覧表示済みである子ノードの名称表示を停止すべき指示を入力デバイス１１０に許容するオブジェクトである。図６に示す一例では、「野菜」、「果物」、「肉類」、「お菓子」、「食品」、「魚介類」、「日配品」、「その他」という八種類の親ノードが表示され、「肉類」については、「国産豚」、「ウィンナー」、「ハム」、「国産鶏肉」、…という複数の子ノードも表示されている状態が示されている。「肉類」という親ノードに対する子ノードの表示は、「肉類」という親ノードに対応付けられている＋マークが入力デバイス１１０によって選択指定された結果である。そして、図６に示す一例では、「肉類」という親ノードに対する「国産豚」、「ウィンナー」、「ハム」、「国産鶏肉」、…という複数の子ノードに対応付けて＋マークが表示されているので、子ノードである「国産豚」、「ウィンナー」、「ハム」、「国産鶏肉」、…には、更に子ノードが設定されていることになる。このような＋マーク及び−マークの選択指定に基づく作用があることも手伝って、基礎対象物表示領域Ａ１には、図４のフローチャート中のステップＳ１３の処理によって付されたカテゴリー名を親ノードとする子ノードとして、基礎対象物の名称を認識し理解し易い形態で一覧表示することができる。
【００３０】
ここで、基礎対象物表示領域Ａ１に子ノードとして表示される基礎対象物の名称１２１ｂは、これに対応する基礎コード１２１ａに対応付けられている序列付け可能な情報である付加情報１２１ｅ中の購入者数のレコードに従い、一例として、購入者数が多い順序で表示される。
【００３１】
併売対象物表示領域Ａ２は、基礎対象物表示領域Ａ１に表示されている基礎対象物のうち、いずれか一つ以上の基礎対象物が選択指定された場合に、その併売対象物を表示するために確保されている領域である。基礎画面は、そのような基礎対象物表示領域Ａ１に表示されている基礎対象物の選択指定が未だになされていない場合に表示される画面なので、基礎画面では、併売対象物表示領域Ａ２はブランク表示状態となっている。
【００３２】
凡例表示領域Ａ３は、併売対象物表示領域Ａ２の区分された領域の表示色である背景色についての凡例をユーザに提供している。つまり、併売対象物表示領域Ａ２は、ここに表示される併売対象物のカテゴリーに応じて異なる背景色で表示される（詳しくは後述する）。そこで、凡例表示領域Ａ３には、そのような異なる背景色とカテゴリーとの関係を凡例として示し、ユーザの理解を助けるようにしている。
【００３３】
図４に示すフローチャートの説明に戻る。
【００３４】
ＣＰＵ１０３は、ステップＳ１４での基礎画面の表示として、ステップＳ１２での分類に応じた体系で基礎画面を表示する。この意味で、ＣＰＵ１０３は、併売ファイル１２１に記録されている基礎対象物の区分に応じて、基礎対象物の名称を分類表示していることになる。この場合の併売ファイル１２１に記録されている基礎対象物の区分というのは、図３（ａ）に示す併売ファイル１２１中の基礎コード１２１ａに含まれている商品コードのレコードに含まれている区分情報、図３（ｂ）に示す併売ファイル１２１中の基礎コード１２１ａに含まれている商品クラスコードのレコードに含まれている区分情報である。
【００３５】
また、ＣＰＵ１０３は、ステップＳ１４での基礎画面の表示に際して、子ノードとして表示する商品名又は商品クラス名を序列付け表示、つまりソート表示するようにしても良い。一例として、ＣＰＵ１０３は、併売ファイル１２１中の付加情報１２１ｅに含まれている購入者数や併売回数の多い順に子ノードとして表示する商品名又は商品クラス名をソート表示する。
【００３６】
更に、ＣＰＵ１０３は、子ノードとして表示する基礎対象物としての商品名又は商品クラス名を、入力デバイス１１０によって選択指定可能なオブジェクトとして表示している。そこで、ＣＰＵ１０３は、ステップＳ１４に続く処理として、基礎対象物表示領域Ａ１に表示されている基礎対象物が入力デバイス１１０によって選択指定されたかどうかを判定する（ステップＳ１５）。この場合の基礎対象物は、入力デバイス１１０によって選択指定可能なオブジェクトとして子ノードとして表示されている商品クラス名又は商品名である。つまり、ステップＳ１５の処理は、併売関係を表示したい基礎となる商品等の選択があったかどうかを判定する処理である。
【００３７】
ＣＰＵ１０３は、基礎対象物表示領域Ａ１に表示されている基礎対象物の選択を判定すると（ステップＳ１５のＹ）、併売対象物の表示処理を実行する（ステップＳ１６）。これに対して、ＣＰＵ１０３は、基礎対象物の選択を判定しないまま終了指定を判定すると（ステップＳ１５のＮ、ステップＳ１７のＹ）、処理を終了する。
【００３８】
図５は、図４のステップＳ１３における併売関係表示処理の流れをより詳細に示すフローチャートである。ＣＰＵ１０３は、基礎対象物表示領域Ａ１に表示されている基礎対象物の選択を判定すると（図４中のステップＳ１５のＹ）、図４中のステップＳ１６の併売対象物の表示処理として、まず、併売対象物を抽出して取得する（ステップＳ１７１）。つまり、ＣＰＵ１０３は、図４のフローチャート中のステップＳ１４で実行する基礎画面の表示処理として、基礎対象物の名称１２１ｂのレコードが反映される子ノードを入力デバイス１１０によって選択指定可能なオブジェクトとして表示している。この場合、ＣＰＵ１０３のプロセス処理の内容を規定する併売関係表示用のプログラムは、子ノードに対応する基礎対象物の基礎コード１２１ａをリンク付けている。したがって、ＣＰＵ１０３は、入力デバイス１１０によって所望の子ノードが選択指定されると、これにリンクする基礎コード１２１ａに対応付けられている併売対象物を特定する併売コード１２１ｃ及び併売対象物の名称１２１ｄを抽出し取得することができる。これが、ステップＳ１７１での併売対象物を抽出して取得する処理である。
【００３９】
ＣＰＵ１０３は、ステップＳ１７１で併売対象物を抽出して取得した後、その取得した併売対象物の名称を併売対象物表示領域Ａ２に表示する（ステップＳ１７６）。この際、ＣＰＵ１０３は、取得した併売対象物を単に網羅的かつ羅列的に表示するわけではなく、工夫を凝らした態様で表示を行なう。ステップＳ１７１での併売対象物の取得処理とステップＳ１７６での取得した併売対象物の表示処理との間で実行されるステップＳ１７２〜ステップＳ１７５の処理は、そのような工夫を凝らした表示のために必要な処理である。以下、図７に基づいて併売対象物表示領域Ａ２の表示内容に凝られている工夫の内容を説明した後、そのような工夫を凝らすためにＣＰＵ１０３が実行するステップＳ１７２〜ステップＳ１７５の処理について説明する。
【００４０】
図７は、併売表示画面Ａの一例として、併売対象物が表示されている状態を示す模式図である。併売表示画面Ａでは、基礎画面ではブランク表示であった併売対象物表示領域Ａ２に、併売対象物が表示されている。図７に示す例では、基礎対象物表示領域Ａ１に表示されている基礎対象物として「国産豚」が選択指定された結果として、「キャベツ」、「レタス」及び「焼きそば・スパゲッティ」が併売対象物として抽出され、併売対象物表示領域Ａ２に表示されている一例を示している。
【００４１】
ここで着目すべきは、併売対象物表示領域Ａ２の背景が二分割され、それぞれの領域の背景色が異なる色にされ、背景にはリフト値が表示されており、その上で、基礎対象物から抽出された個々の併売対象物がそれぞれ意味付けされた位置に配置されていることである。
【００４２】
つまり、併売対象物表示領域Ａ２の背景の分割は、そこに表示される併売対象物が属するカテゴリーを意味している。分割された個々の領域の背景色が何を意味するのかについては、凡例表示領域Ａ３に示されている背景色と併売対象物が属するカテゴリーとの対応関係によって一目瞭然である。例えば、「野菜」のカテゴリーは青、「肉類」のカテゴリーは茶色、「一般食品」のカテゴリーは赤等のように色別分類表示される。このようなカテゴリーと表示色との関係は、ＨＤＤ１０９にインストールされている併売関係表示用のコンピュータプログラムに含まれているカテゴリーと表示色との対応関係を定義する色定義に応じて決定される。なお、併売対象物表示領域Ａ２に表示すべき併売対象物が属する全てのカテゴリーが単一である場合には、背景の領域分割表示はなされない。
【００４３】
そして、分割された個々の領域が占有する幅（Ｘ座標方向の長さ）の比率は、そこに表示される併売対象物の個数に応じた比率で決定されている。図７に示す一例では、「野菜」のカテゴリーに２つ、「一般食品」のカテゴリーに１つの併売対象物が表示されているので、「野菜」のカテゴリーを示す領域（左側領域）と「一般食品」のカテゴリーを示す領域（右側領域）とは、２：１の横幅比率で表示されている。
【００４４】
このような併売対象物表示領域Ａ２の背景上に表示される併売対象物は、それぞれ対応する位置に配置される。つまり、「キャベツ」及び「レタス」という併売対象物は「野菜」に属するので、「野菜」のカテゴリーを示す領域（左側領域）に表示される。「焼きそば・スパゲッティ」という併売対象物は「一般食品」に属するので、「一般食品」のカテゴリーを示す領域（右側領域）に表示される。この場合に重要なことは、個々の併売対象物が配置される上下方向（Ｙ座標方向）の位置である。併売対象物表示領域Ａ２において、Ｙ座標はリフト値を示している。この場合のリフト値は、図３に示す併売ファイル１２１の相関度１２１ｆの一つとして記録されているリフト値である。このようなリフト値は、基礎対象物表示領域Ａ１に表示されている基礎対象物に対する関連性の高さを示す値として採用されている。図７には、５．０というリフト値と１０．０というリフト値とが予め線表現で示されており、「キャベツ」は５．０と１０．０との中間程度の位置に、「レタス」は５．０よりも僅かに低い位置に、「焼きそば・スパゲッティ」は５．０の更に下方位置にそれぞれ表示されている。そこで、図７に示す一例では、基礎対象物表示領域Ａ１に表示されている「国産豚」という基礎対象物に対する個々の併売対象物の関連性の高さとして、「キャベツ」が最も高く、次いで「レタス」、「焼きそば・スパゲッティ」という順であることが分かる。このように、併売対象物表示領域Ａ２の背景上に表示される併売対象物については、その配置位置をみるだけで、どのカテゴリーに属しているのか、リフト値という指標で表現されている基礎対象物との間の関連性の高さはどの程度なのか、ということが、一目瞭然である。
【００４５】
ここで、本実施の形態では、基礎対象物に対する併売対象物の関連性の高さとして、図３に示す併売ファイル１２１中の相関度１２１ｆに含まれているリフト値を用いている。つまり、併売対象物のＹ軸方向の表示位置は、そのリフト値に応じた位置に設定される。これに対して、相関度１２１ｆに含まれている信頼度又は支持度を用いて併売対象物のＹ軸方向の表示位置を決定するようにしても良い。
【００４６】
あるいは、実施に当たっては、相関度１２１ｆに含まれている信頼度、支持度、リフト値の大きさに応じて、併売対象物表示領域Ａ２に表示する併売対象物の表示フォントを変更するようにしても良い。この場合の変更は、表示フォントの大きさ、線の太さ、種類等である。
【００４７】
図５に示すフローチャートの説明に戻る。ステップＳ１７２〜ステップＳ１７５の処理について説明する。
【００４８】
ＣＰＵ１０３は、ステップＳ１７１で抽出した併売対象物をその区分に応じてカテゴリー分類する（ステップＳ１７２）。カテゴリー分類は、一例として、併売コード１２１ｃに記録されているレコードを７００番台、８００番台、９００番台等に分けることによって実行される。一例として、７００番台は「野菜」というカテゴリー、８００番台は「肉類」というカテゴリー、９００番台は「一般食品」というカテゴリーに分けられる。この際、図３（ａ）に例示するような併売ファイル１２１が用いられる場合には、併売コード１２１ｃである商品コードのレコードに応じて分類がなされる。これに対して、図３（ｂ）に例示するような併売ファイル１２１が用いられる場合には、併売コード１２１ｃである商品クラスコードのレコードに応じて分類がなされる。この意味で、併売ファイル１２１には、併売コード１２１ｃ毎に当該併売コード１２１ｃに対応する併売対象物の区分が記録されていることになる。
【００４９】
図８は、併売表示画面Ａに併売商品をカテゴリー別に表示する手法について説明するための模式図である。図８に示すのは、液晶ディスプレイ１１１の表示領域に表示される併売表示画面Ａ中の併売対象物表示領域Ａ２の表示座標である。一例として、併売表示画面Ａは、横幅（Ｘ軸方向の長さ）が１２００である。そこで、一例として、併売対象物表示領域Ａ２にカテゴリー分類が７００番台の「野菜」と８００番台の「肉類」と９００番の「一般食品」とにそれぞれ属する複数の併売対象物が表示される場合には、併売対象物表示領域Ａ２の表示座標を横幅（Ｘ軸方向の長さ）が４００である三つの領域に分割する。この場合、ＣＰＵ１０３は、このまま三つの領域を均等に分割するか、あるいは、それぞれのカテゴリーに属する併売対象物の個数が均等でなければ、その個数に応じた比率で領域を分割してもよい。例えば、「野菜」に属する併売対象物の個数が２個、「肉類」に属する併売対象物の個数が１個、「一般食品」に属する併売対象物の個数が１個であった場合、ＣＰＵ１０３は、併売対象物表示領域Ａ２の表示座標を２：１：１の比率で分割する。つまり、併売対象物表示領域Ａ２の表示座標を横幅（Ｘ軸方向の長さ）は、「野菜」用に６００、「肉類」用に３００、「一般食品」用に３００に設定される。
【００５０】
図５に示すフローチャートの説明に戻る。
【００５１】
ＣＰＵ１０３は、ステップＳ１７２での併売対象物のカテゴリー分類処理に続き、図８に基づいて説明した手法を用いて併売対象物表示領域Ａ２の表示座標を横幅方向に分割する（ステップＳ１７３）。
【００５２】
そして、ＣＰＵ１０３は、分割した表示領域の背景を色分けする（ステップＳ１７４）。この場合の背景色は、ステップＳ１７２で分類したカテゴリーに応じた色であり、凡例表示領域Ａ３に示されている定義に適合させた色である。例えば、「野菜」のカテゴリーは青、「肉類」のカテゴリーは茶色、「一般食品」のカテゴリーは赤等である。
【００５３】
次いで、ＣＰＵ１０３は、ステップＳ１７１で抽出し取得した併売対象物の表示座標を決定する（ステップＳ１７５）。この決定は、個々の併売対象物について、Ｘ座標とＹ座標とを決定することによって実行される。Ｘ座標は、個々の併売対象物が属するカテゴリーを意味している。Ｙ座標は、個々の併売対象物についてのリフト値を意味している。
【００５４】
その後、ＣＰＵ１０３は、ステップＳ１７５で決定した表示座標の位置に合わせて、ステップＳ１７１で抽出し取得した併売対象物を併売対象物表示領域Ａ２に表示する（ステップＳ１７６）。その結果、図７に例示するような表示がなされる。
【００５５】
そして、ＣＰＵ１０３は、図４のフローチャート中のステップＳ１５で選択指定された基礎対象物を、その基礎対象物が属するカテゴリーの色で併売対象物表示領域Ａ２の欄外に表示する（ステップＳ１７７）。つまり、ＣＰＵ１０３は、その基礎対象物が属すべきカテゴリーを図３に示す併売ファイル１２１を検索して取得し、そのカテゴリーの色として併売関係表示用のコンピュータプログラムに定義されている表示色で併売対象物表示領域Ａ２の欄外に基礎対象物を表示する。
【００５６】
図９は、図４のステップＳ１６における併売関係表示処理が実行されている間に併売対象物が選択指定された場合の処理の流れを示すフローチャートである。ＣＰＵ１０３は、併売対象物の表示処理（図４のフローチャート中のステップＳ１６の処理、図５のフローチャートに示す処理）の実行後、図９に示す処理を実行する。つまり、ＣＰＵ１０３は、併売対象物表示領域Ａ２に表示されている併売対象物を、入力デバイス１１０によって選択指定可能なオブジェクトとして表示している。そこで、ＣＰＵ１０３は、併売対象物表示領域Ａ２に表示されている併売対象物が入力デバイス１１０によって選択指定されたかどうかを判定する（ステップＳ２１）。このステップＳ２１の処理は、併売対象物の更に併売対象物を併売対象物表示領域Ａ２に表示するために、併売関係を表示したい併売対象物である基礎となる商品等の選択があったかどうかを判定する処理である。
【００５７】
ＣＰＵ１０３は、入力デバイス１１０によって終了が指示されるまで（ステップＳ２２のＹ）、ステップＳ２１の判定処理に待機しており、併売対象物表示領域Ａ２に表示されている併売対象物が入力デバイス１１０によって選択指定されたと判定したならば（ステップＳ２１のＹ）、その選択指定された併売対象物を基礎とする併売情報があるかどうかを判定する（ステップＳ２３）。この判定は、図３に示す併売ファイル１２１を参照し、選択指定された併売対象物を特定するコードを基礎コード１２１ａとしてこの基礎コード１２１ａのレコードに対応する併売コード１２１ｃ及び名称１２１ｄにレコードが記録されているかどうかを調べることによって実行される。
【００５８】
ＣＰＵ１０３は、ステップＳ２３で併売対象物を基礎とする併売情報があると判定した場合（ステップＳ２３のＹ）、併売関係を表示するかどうかを入力デバイス１１０によってユーザに選択させる画面（図示せず）を併売対象物表示領域Ａ２にポップアップ表示する（ステップＳ２４）。そして、表示するとのユーザの意思確認が取れた場合にのみ（ステップＳ２４のＹ）、併売対象物を基礎とする併売情報を表示するためのポップアップ画面Ａ４（図１０参照）を新規画面として生成し（ステップＳ２５）、併売対象物表示領域Ａ２にポップアップ表示する（ステップＳ２６）。その後、ＣＰＵ１０３は、ステップＳ２１及びステップＳ２２の判定処理のルーチンに復帰する。なお、実施に際しては、別の一例として、併売対象物を基礎とする併売情報を表示するための画面をポップアップ画面Ａ４として生成せず、併売対象物表示領域Ａ２の切替え表示をするようにしても良い。
【００５９】
図１０は、併売対象物の併売対象物がポップアップ表示されている状態である併売表示画面Ａの一例を示す模式図である。図１０に示す一例では、図７に示す併売対象物表示領域Ａ２中から「焼きそば・スパゲッティ」という併売対象物が入力デバイス１１０によって選択指定されることによって表示されるポップアップ画面Ａ４を示している。そして、このポップアップ画面Ａ４でも、併売対象物表示領域Ａ２の表示と同様に、カテゴリーによる色分け背景表示、併売対象物の個数に応じた分割された背景領域の表示比率設定、併売対象物のリフト値に応じたＹ座標位置への併売対象物の表示が行なわれている。このようなポップアップ画面Ａ４の表示は、図５のフローチャート中のステップＳ１７２〜ステップＳ１７６の処理と同一の処理によって実行可能である。
【００６０】
図１１は、図４のステップＳ１６における併売関係表示処理が実行されている間に別の基礎対象物が選択指定された場合の処理の流れを示すフローチャートである。ＣＰＵ１０３は、併売対象物の表示処理（図４のフローチャート中のステップＳ１６の処理、図５のフローチャートに示す処理）の実行後、図９に示す処理に加えて、図１１に示す処理も実行する。図４のフローチャートから明らかなように、ＣＰＵ１０３は、図４中のステップＳ１５で入力デバイス１１０による基礎対象物の選択指定を判定すると（ステップＳ１５のＹ）、選択指定された基礎対象物に対する併売対象物の表示処理を実行し（図４のフローチャート中のステップＳ１６の処理、図５のフローチャートに示す処理）、このような処理を処理終了判定（ステップＳ１７のＹ）まで続ける。したがって、併売対象物表示領域Ａ２には、選択された複数の基礎対象物に対して併売関係を有する複数の併売対象物が表示されることになる。
【００６１】
図１２は、併売表示画面Ａの一例として、複数の基礎対象物に対する併売対象物が併売対象物表示領域Ａ２に表示されている状態を示す模式図である。つまり、図１２（ａ）では、基礎対象物表示領域Ａ１に子ノードとして表示されている「白菜類」及び「もやし類」が選択指定され、それぞれの併売対象物が併売対象物表示領域Ａ２に表示されている。ところが、図１２（ａ）中の併売対象物表示領域Ａ２を見ると、「その他葉茎類」という併売対象物の下に別の併売対象物が位置付けられていることが分かる。そこで、本実施の形態では、既に選択指定されている「白菜類」及び「もやし類」という基礎対象物の名称のうちの１つ、例えば「もやし類」が入力デバイス１１０によって選択指定されると、これにリンクする基礎コード１２１ａに対応付けられている方の併売対象物の名称を最上層に表示する。その結果、図１２（ｂ）に示すように、「その他葉茎類」が重なっていたために見えなかった「長ネギ」が「その他葉茎類」の上層に表示されることになる。この場合、「長ネギ」は、「もやし類」という基礎対象物にリンクする基礎コード１２１ａに対応付けられている方の併売対象物の名称である。
【００６２】
図１１に示すフローチャートは、以上説明した処理内容を表している。つまり、ＣＰＵ１０３は、併売対象物の表示処理（図４のフローチャート中のステップＳ１６の処理、図５のフローチャートに示す処理）の実行後、図１１に示す処理として、既に選択指定されている基礎対象物の名称のうちの１つが入力デバイス１１０によって選択指定されたかどうかの判定に待機している（ステップＳ３１）。この判定は、処理の終了が判定されるまで実行される（ステップＳ３２）。ＣＰＵ１０３は、ステップＳ３１で、既に選択指定されている基礎対象物の名称（ここでは「白菜類」及び「もやし類」）のうちの１つ（ここでは「もやし類」）が入力デバイス１１０によって選択指定されたことを判定すると（ステップＳ３１のＹ）、これにリンクする基礎コード１２１ａに対応付けられている方の併売対象物の名称を最上層に表示する（ステップＳ３３）。
【００６３】
図１３は、併売表示画面Ａの一例として、図７に例示する態様とは別の態様で併売対象物が表示されている状態を示す模式図である。図１３に示すのは、併売対象物表示領域Ａ２の別の実施の一例であり、基礎対象物表示領域Ａ１に表示されている選択指定された基礎対象物の名称を中心に表示した同心円状に併売対象物を表示する例である。したがって、併売対象物表示領域Ａ２は、円周形態で表示されている。そして、図１３に示す一例では、基礎対象物表示領域Ａ１から選択指定された基礎対象物として、「国産ごぼう」が併売対象物表示領域Ａ２の中心に表示されている。「国産ごぼう」に対する併売商品は、「野菜」として「人参類」及び「インゲン類」、「肉類」として「国産鶏肉」、「一般食品」として「ちくわ」、「板蒟蒻」、「油揚げ」である。円周形状で表示されている併売対象物表示領域Ａ２は、基礎対象物が表示されている中心部分を中心とする３個の扇形形状に領域分割されており、それぞれに「野菜」、「肉類」、「一般食品」が割り当てられている。個々の領域の背景色及び比率については、図７に示す併売対象物表示領域Ａ２と同様に、カテゴリー毎の背景色で、個々のカテゴリーに属する併売対象物の個数に応じた領域割合に設定されている。
【００６４】
図１４は、図１３に示す表示を実現するための手法について説明する模式図である。図１４に模式的に示す円周表示は、図１３に示す併売対象物表示領域Ａ２の座標を示している。図１４中、角度θ１及びθ２は、各領域の大きさを決める角度を求めるためにＣＰＵ１０３によって計算される角度として表現されている。つまり、角度θ１及びθ２は、一例として、各領域の面積を全て等しく表示する場合には、
θ１＝３６０°／カテゴリー数
θ２＝（３６０°／カテゴリー数）＋θ１
とする。図１３に示す一例の場合、
θ１＝３６０°／３＝１２０°
θ２＝３６０°／３＋１２０°＝２４０°
となる。これに対して、各領域の面積をそこに属する併売対象物の個数比率で表現する場合には、
θ１＝(３６０°／併売対象物の総数)
×(「野菜」カテゴリーに属する併売対象物の数)
θ２＝(３６０°／併売対象物の総数)
×(「肉類」カテゴリーに属する併売対象物の数）＋θ1
とする。
【００６５】
このようにして設定される併売対象物表示領域Ａ２に表示される併売対象物の名称については、次の表示手法により表示を行なう。円周上のＸ軸及びＹ軸の目盛は、円周と接する点Ａ、Ｂ、Ｃ、Ｄを例えばリフト値１５となるように設定する（図１４参照）。Ｘ軸及びＹ軸は、原点を基準にどちらの向きにも正の値をとり、負の値を持たないようにする。「野菜」カテゴリーに該当する「人参類」のＸ座標及びＹ座標は、「国産ごぼう」に対する「人参類」のリフト値をＬ、「人参類」の表示角度をθ１１とすると、例えば、
（Ｘ，Ｙ)＝(Ｌ×ｃｏｓθ１１，Ｌ×ｓｉｎθ１１)
となる。ここで、θ１１は０＜θ１１＜θ１の値であり、例えば各カテゴリーの領域の中央の角度とする。図１３に示す「野菜」カテゴリーの場合は、
θ１１＝１２０°／２＝６０°
となる。各カテゴリーに２つ以上の併売対象物を表示する場合には、ｎ番目の併売対象物の表示角度は、
(１つ前の表示角度)＋(−１)ｎ×２０°×（ｎ−１）
とする。ここで、ｎ＝２、３、４…である。図１３に示す「野菜」カテゴリーに２つ目の併売対象物を表示する場合の表示角度は、
６０°＋１×２０°×１＝８０°
となる。３つ目の併売商品の表示角度は、
８０°＋(−１)×２０°×２＝４０°
となる。表示角度が各カテゴリーの最小角度または最大角度を超える場合は、各カテゴリーの中央の角度に戻す。
【００６６】
以上のような手法で、併売対象物表示領域Ａ２を円周形状に表現することが可能となる。
【００６７】
以上説明したように、本実施の形態によれば、基礎対象物の名称を入力デバイス１１０によって選択入力可能であって基礎コード１２１ａ（図３に示す併売ファイル１２１参照）にリンクするオブジェクトとして液晶ディスプレイ１１１の表示領域の一部に一覧表示するようにしたので、併売対象物に対して基本となる基本対象物を容易に見つけ出すことができ、操作性を向上させることができる。
【００６８】
また、併売対象物表示領域Ａ２には、併売ファイル１２１に記録されている相関度１２１ｆに応じて、基礎対象物に対する併売対象物の相関の程度の高低を視覚的に表現する態様で併売対象物の名称を表示するようにしたので、基礎対象物に対する併売対象物の相関度をユーザに一見して把握させることができる。
【００６９】
また、基礎対象物表示領域Ａ１には、併売ファイル１２１に記録されている基礎対象物の区分に応じて、基礎対象物の名称を分類表示するようにしたので、所望の基礎対象物を見つけ出すことが容易となり、操作性を向上させることができる。
【００７０】
また、基礎対象物表示領域Ａ１では、併売ファイル１２１に記録されている付加情報１２１ｅ中の購入者数に応じて基礎対象物の名称を序列付け表示するようにしたので、所望の基礎対象物を見つけ出すことが容易となり、操作性を向上させることができる。
【００７１】
また、併売対象物の更に併売対象物を入力デバイス１１０によって選択指定して併売対象物表示領域Ａ２に表示したりポップアップ画面Ａ４として表示したりすることができるようにしたので、分析の可能性を拡張することができる。
【００７２】
更に、２以上の基礎対象物の名称が既に表示されている状態で、２以上の基礎対象物の名称のうちの１つが選択入力されると、これにリンクする基礎コード１２１ａに対応付けられている併売対象物の名称を最上層に表示するようにしたので、併売対象物の表示が重なり合う場合でも、どの基礎対象物に対する併売対象物であるのかをユーザに容易に知らしめることができる。
【００７３】
そして、基礎対象物表示領域Ａ１に名称が表示されている基礎対象物の基礎コード１２１ａに対応付けられている併売対象物の名称及びその区分を併売ファイル１２１から検索して取得し、取得した併売対象物の名称をその区分に応じて領域分けして液晶ディスプレイ１１１の表示領域の一部に表示するようにしたので、表示される併売対象物の数が増した場合であっても、併売傾向を観念し易い表示を提供することができる。
【００７４】
また、併売対象物表示領域Ａ２では、取得した併売対象物の区分毎の個数に比例させて当該併売対象物の名称を表示する表示領域の大きさを設定するようにしたので、併売対象物の表示領域を見ただけでその個数割合をユーザに直感的に知らしめることができる。
【００７５】
更に、併売対象物表示領域Ａ２では、併売対象物の名称を表示する表示領域をそれぞれ異なる表示色で表示するようにしたので、併売対象物の分類をユーザに直感的に知らしめることができる。
【００７６】
本実施の形態では、装置内部に本発明を実施するための機能が予め記録されている場合を例に挙げて説明したが、これに限らず同様の機能をネットワークから装置にダウンロードしても良いし、同様の機能をコンピュータに実行させるコンピュータプログラムを記録する記録媒体から当該コンピュータプログラムを装置にインストールしても良い。記録媒体としては、ＣＤ−ＲＯＭ等、コンピュータプログラムを記録でき、かつ、装置が読み取り可能な媒体であれば、その形態は何れの形態であっても良い。また、このようにインストールやダウンロードにより得られる機能は、装置内部のＯＳ（オペレーティングシステム）等と協働してその機能を実現させるものであっても良い。
【００７７】
また、本発明については、上記記載に照らして、数々の修正及び変更が可能である。したがって、本発明は、特許請求の範囲内において、発明を実施するための最良の形態中に例示したものとは別の態様で実施することもできる。
【図面の簡単な説明】
【００７８】
【図１】本発明の実施の一形態として、システム全体の構成を示すブロック図である。
【図２】ストアサーバ（併売関係表示装置）の電気的接続のブロック図である。
【図３】（ａ）は併売ファイルの一例を示す模式図、（ｂ）は併売ファイルの別の一例を示す模式図である。
【図４】併売関係表示処理の流れを示すフローチャートである。
【図５】図４のステップＳ１６における併売関係表示処理の流れをより詳細に示すフローチャートである。
【図６】併売表示画面の一例として、基礎画面表示例を示す模式図である。
【図７】併売表示画面の一例として、併売対象物が表示されている状態を示す模式図である。
【図８】併売表示画面に併売商品をカテゴリー別に表示する手法について説明するための模式図である。
【図９】図４のステップＳ１６における併売関係表示処理が実行されている間に併売対象物が選択指定された場合の処理の流れを示すフローチャートである。
【図１０】併売対象物の併売対象物がポップアップ表示されている状態である併売表示画面の一例を示す模式図である。
【図１１】図４のステップＳ１６における併売関係表示処理が実行されている間に別の基礎対象物が選択指定された場合の処理の流れを示すフローチャートである。
【図１２】併売表示画面の一例として、複数の基礎対象物に対する併売対象物が表示されている状態を示す模式図である。
【図１３】併売表示画面の一例として、図７に例示する態様とは別の態様で併売対象物が表示されている状態を示す模式図である。
【図１４】図１３に示す表示を実現するための手法について説明する模式図である。
【符号の説明】
【００７９】
１０２…マイクロコンピュータ（情報処理部）、１１０…入力デバイス（入力部）、１１１…液晶ディスプレイ（表示部）、１２１…併売ファイル、１２１ａ…基礎コード、１２１ｂ…基礎対象物の名称、１２１ｃ…併売コード、１２１ｄ…併売対象物の名称、１２１ｅ…付加情報、１２１ｆ…相関度（相関の程度）、Ａ１…基礎対象物表示領域（表示領域の一部）、Ａ２…併売対象物表示領域（表示領域の別の一部）
【図１】
2009086721.tif 000003
【図２】
2009086721.tif 000004
【図３】
2009086721.tif 000005
【図４】
2009086721.tif 000006
【図５】
2009086721.tif 000007
【図６】
2009086721.tif 000008
【図７】
2009086721.tif 000009
【図８】
2009086721.tif 000010
【図９】
2009086721.tif 000011
【図１０】
2009086721.tif 000012
【図１１】
2009086721.tif 000013
【図１２】
2009086721.tif 000014
【図１３】
2009086721.tif 000015
【図１４】
2009086721.tif 000016